(57)【要約】【課題】液状及び粉末状の両者の有機及び無機物質を抽出、混合及び分離するのに適した振動装置であって、発生する振動や有害な騒音を低減できる振動装置を提供する。【解決手段】複数の試験管を保持するのに適合した２つの保持ショルダー２，３を含み、個々の前記保持ショルダー２，３がモーター５によって回転駆動されるカム１０に従動するカム追従部に強固に連結され、前記試験管を保持するショルダー２，３を対称的に正逆双方向の直線往復運動を行わせることを特徴とする振動装置。【選択図】　　　　図１
2004058055.tif 000002
【特許請求の範囲】
【請求項１】
複数の試験管を保持するのに適合した２つの保持ショルダーを含み、個々の前記保持ショルダーがモーターによって回転駆動されるカムに従動するカム追従部に強固に連結され、前記試験管を保持するショルダーを対称的に正逆双方向の直線往復運動を行わせることを特徴とする振動装置。
【請求項２】
前記保持ショルダーが前記振動装置のフレームワークに対し堅固に固定された一対の平行ガイドに結合される事を特徴とする請求項１記載の振動装置。
【請求項３】
前記モーターが電気的に制御される変速型の電気モーターである事を特徴とする請求項１記載の振動装置。
【請求項４】
前記モーターが、その上にプーリーが取り付けられるモーターシャフトを含み、当該プーリー上に伝達ベルトが巻回され、前記カムを支持する第２シャフト上に楔止めされた第２プーリーを回転駆動させる事を特徴とする請求項１記載の振動装置。
【請求項５】
前記カムはデスモドロミック方式カムである事を特徴とする請求項４記載の振動装置。
【請求項６】
前記デスモドロミック方式カムは、内側輪郭及び外側輪郭を持ち、それらの上で、内側追従ローラー並びに外側追従ローラーが夫々移動する事を特徴とする請求項５記載の振動装置。
【請求項７】
内側追従ローラーは対応の外側追従ローラーと共に保持ショルダーに固定されたアームに対し枢支される一方、他方の内側追従ローラーは対応の外側追従ローラーと共に保持ショルダーに固定されたアームに対し枢支されていることを特徴とする請求項６記載の振動装置。
【請求項８】
前記カムは非デスモドミック方式カムである事を特徴とする請求項４記載の振動装置。
【請求項９】
前記非デスモドロミック方式カムは、単一の外側輪郭を含み、その上で、夫々前記保持ショルダーに結合したアームの夫々に固定された２つのカム追従部が移動し、前記保持ショルダーは収縮スプリング対によって連結され、当該カム追従部が当該カムの輪郭への従動を許容する事を特徴とする請求項８記載の振動装置。
【発明の詳細な説明】
【０００１】
【発明の属する技術分野】
本発明は、液状及び粉末状の両者の有機及び無機物質を抽出、混合及び分離するのに適した振動装置に関する。更に、詳しくは、本発明はＤＮＡ　解析用サンプルの調製に特に適した振動装置を提供する。
【０００２】
【従来の技術】
公知のように、他の研究分野と同様に、化学並びに生化学研究分野において、多くの実験室プロセスでは、分析物質を保持する試験管が激しい振動又は攪拌運動を受ける事を必要とする。
【０００３】
この為に、係合トレイ又は容器に係合された試験管を振動又は攪拌する為に設計された攪拌装置は既に入手可能である。
【０００４】
入手可能な市販の攪拌又は振動装置に関する問題は、発生する振動が作業テーブルあるいはそのベンチにも伝達される事である。
【０００５】
先行技術の振動装置の他の問題は、当該振動によって発生する強烈な、かつ有害な騒音である。
【０００６】
【発明が解決しようとする課題】
従って本発明の意図は、液状及び粉末状の両者の有機及び無機物質を抽出、混合及び分離する為に特別に設計され、上記諸問題、即ち発生する振動や有害な騒音を克服するような振動装置を提供する事である。
【０００７】
上記意図の範囲内において、本発明の主目的は、非常に強固で且つ安定な構成であり、そして操業上高い信頼性を持つような振動装置を提供する事である。
【０００８】
他の目的は、高い操作収量の、そして非常に簡単で低コストの構造の振動装置を提供する事である。
【０００９】
【課題を解決するための手段】
本発明の１　局面に従えば、上記意図及び目的は、以下の記載で明らかになる他の目的も含め、本発明の振動装置によって達成される。
【００１０】
即ち、本発明の振動装置は、液状及び粉末状の両者の有機及び無機物質を抽出、混合及び分離するのに適した振動装置であって、前記振動装置は、複数の試験管を保持するのに適合した２つの保持ショルダーを含み、個々の前記保持ショルダーがモーターによって回転駆動されるカムに従動するカム追従部に強固に連結され、前記試験管を保持するショルダーを対称的に正逆双方向の直線往復運動を行わせることを特徴とする。
【００１１】
【発明の実施の形態】
本発明の更なる特徴及び利点が、本発明の好ましい以下の実施態様の詳細な開示でより明白になる。そして当該実施態様は、明示的ではあるが、非限定的な実施例によって、添付の図面に例示される。
【００１２】
図面の符号を参照して、参照番号１で一般的に示される本発明に従う当該振動装置は、例えば、特別に設計された試験管容器４　に収容される複数の試験管を保持する為に設けられた、２つの保持ショルダー２及び３　を含む。
【００１３】
更に、具体的に説明されるように、前記保持ショルダー２　及び３　は当該振動装置のフレームワーク１２に対し堅固に固定された、一対の平行ガイド１１に結合され、直線双方向運動を許容するようにしてもよい。
【００１４】
本発明による当該振動装置は更に、電気的に制御され且つ及び電気モーターシャフト６　を有する変速型の電気モーター５　を含んでいてもよい。
【００１５】
プーリー７　が電気モーターシャフト６　上に支持され、当該プーリー７には、カム１０を支持する更なるシャフ上に楔止めされた第２プーリー９を回転駆動する駆動ベルト８が係合される。
【００１６】
当該カム１０の運転はデスモドロミック方式（まゆ型状カム方式）である。
【００１７】
実際、前記カム１０は内側輪郭１３及び外側輪郭１４を持ち、それらの上で、内側追従ローラー１５及び１６、並びに外側追従ローラー１７及び１８が夫々移動する。
【００１８】
当該内側追従ローラー１５は当該対応の外側追従ローラー１７と共に保持ショルダー３に固定されたアーム１９に対し枢支されている。
【００１９】
当該内側追従部１６は当該対応の外側追従ローラー１８と共に保持ショルダー２　に固定されたアーム２０に対し枢支されている。
【００２０】
この様にして、当該カム１０が回転駆動されながら、当該２つの対向する保持ショルダー２，３は、滑動ガイド１１及び１２に沿って直線往復運動を行う。
【００２１】
この様にして、当該試験管の保持ショルダー２　及び３　は対称的に正逆反対方向の運動を行い、依って前記保持ショルダーが完全に動的にバランスする事ができる。
【００２２】
図６は非デスモドロミック方式カムの実施態様の例を示す。
【００２３】
一般的に参照番号１１０　で示される、この非デスモドロミック方式カムは、単一の外側輪郭１１４　を含み、その上で、夫々当該保持ショルダー２　及び３　に結合したアーム１１９　及び１２０　の夫々に固定された２　つのカム追従部が移動する。
【００２４】
前記保持ショルダー２　及び３　は収縮スプリング対１３０　及び１３１　によって連結され、当該カム追従部が当該カムの輪郭１１４　に従動する事を許容する。
【００２５】
本願発明は上記意図及び目的を完全に達成する事が解った。実際に、本発明では、完全にバランスしているので、有害な振動を生成しない装置を提供することができる。この様にして、前記装置は、それが取り付けられている保持テーブルに振動を伝えない。
【００２６】
本発明を実施するに当たり、本質的でない寸法及び形状は勿論、使用物質は、必要性及び本技術の状態に従って、いずれも採用可能である。
【図面の簡単な説明】
【図１】本発明による振動装置の斜視図である。
【図２】外側への変位端位置の保持ショルダーを示す本発明による振動装置の平面図である。
【図３】内側への変位端位置の保持ショルダーを示す図２と同様の図である。
【図４】デスモドロミック方式カムの拡大斜視図である。
【図５】振動装置の部分断面の側面図である。
【図６】非デスモドロミック方式カムを含む振動装置の更なる平面図である。
【図７】振動装置のショルダー及び試験管保持容器の分解斜視図である。
【図８】試験管容器の装置ショルダーへの可能な適用を例示する図７と同様の図である。
【符号の説明】
２，３　　　保持ショルダー
５　　　　　モーター
８　　　　　伝達ベルト
１０　　　　　カム
１３　　　　　カムの内側輪郭
１４　　　　　カムの外側輪郭
１５，１６　　内側追従ローラー
１７，１８　　外側追従ローラー
１９，２０　　アーム
１１０　　　　　カム
１１４　　　　　カムの外側輪郭
１３０，１３１　収縮スプリング
【図１】
2004058055.tif 000003
【図２】
2004058055.tif 000004
【図３】
2004058055.tif 000005
【図４】
2004058055.tif 000006
【図５】
2004058055.tif 000007
【図６】
2004058055.tif 000008
【図７】
2004058055.tif 000009
【図８】
2004058055.tif 000010